(57)【要約】【課題】配線工事が不要でサーバとのデータ通信が可能なタイムレコーダを提供する。【解決手段】集計機能を備えたタイムレコーダ1に、PHSモジュール及び通信制御プログラムを付加する。タイムレコーダはPHSモジュールを介してサーバ17と無線通信し、サーバは所定または任意のタイミングでタイムレコーダから出退勤データを取込む。出退勤データを取込むためにタイムレコーダの設置場所を巡回する必要が無くなり、出退勤管理業務を省力化できるとともに、特別な配線工事も不要で、容易にタイムレコーダネットワークシステムを構築できる。【選択図】図1
2005310000.tif 000002
【特許請求の範囲】
【請求項１】
挿入されたタイムカードに現在時刻を印字するとともに、そのタイムカードのIDコードを読取り、打刻データをIDコードに関連付けてタイムカードごとの打刻データを保存する集計機能を備えたタイムレコーダにおいて、
PHSモジュール或いはデジタル携帯電話モジュール或いは無線LANモジュールなどの無線通信手段と、無線通信制御プログラムとを備え、電話回線またはインターネットを介してサーバと無線データ通信を行うように構成したことを特徴とするタイムレコーダ。
【請求項２】
サーバの集計データ送信要求に応じてタイムレコーダ内の集計データを送信する通信制御手段を備えた請求項１記載のタイムレコーダ。
【請求項３】
設定された時刻にタイムレコーダ内の集計データをサーバへ送信する通信制御手段を備えた請求項１記載のタイムレコーダ。
【請求項４】
サーバ側からタイムレコーダへ各種設定データを書込める書込み制御手段を設けた請求項１記載のタイムレコーダ。
【発明の詳細な説明】
【技術分野】
【０００１】
この発明は、時間集計機能を備えたタイムレコーダに関するものであり、特に、無線通信機能を備えたタイムレコーダに関するものである。
【背景技術】
【０００２】
個人ごとの出勤・退勤時刻データを保存して任意の時点でこれらの集計データを、接続ケーブルまたはメモリカードなどのデータ記録メディアを介してコンピュータに取込むことができるタイムレコーダは、既に一般的なものになっている。
また、タイムレコーダにネットワーク通信機能を備え、タイムレコーダとサーバとをインターネットを介して接続することにより、タイムレコーダからデータを収集する手間を省いたものも提案されている（例えば、特許文献１、特許文献２）
【０００３】
また、例えば巡回サービスマンのように勤務現場が一定しない就業形態に対応できる出退勤管理システムとして、出勤・退勤時刻データなどの送信手段を備えたPHS端末機と、データ通信手段及びPHS端末機のID認識手段を備えたサーバとによって無線データ通信システムを構成し、電話回線を通じて出退勤登録を行えるように構成した出退勤管理システムも知られている（特許文献３）。
【特許文献１】特開2002-150342号公報
【特許文献２】特開2002-157620号公報
【特許文献３】特開2003-30394号公報
【発明の開示】
【発明が解決しようとする課題】
【０００４】
特許文献1や特許文献2のように、タイムレコーダとサーバとをインターネットを介して接続して相互通信する出退勤管理システムは、タイムレコーダの設置場所に赴いて出退勤データを収集する手間が省け、出退勤管理業務の省力化に効果的であるが、電話回線或いは光ファイバー回線などとタイムレコーダをケーブル接続する必要があって、回線敷設工事費がかかるとともに、このような工事が困難で導入が困難な場合もある。
【０００５】
特許文献3記載の、出退勤時刻データなどの送信手段を備えた専用PHS端末機をタイムカード及びタイムレコーダに代えて用いたシステムは、PHS基地局の送受信範囲であればどこでも無線通信が可能であり、電話回線使用料の他には接続工事費などの付帯費用はかからないが、タイムカードに比べてPHS端末機の単価は著しく高価であり、費用がかかるとともに登録操作がタイムカードよりも複雑で時間がかかることなどから、勤務地が一定の就業形態において各従業者にPHS端末機を支給することは合理的ではない。また、このような職場では、所定の出勤時刻及び退勤時刻に時刻登録が集中するので、トラフィックが輻輳することになり、相応の回線容量が確保されていない場合は、送信不能となって出退勤登録が行えなくなることが予想される。
【０００６】
そこで、サーバとのデータ通信機能を有し、通信回線との有線接続が不要で設置の簡単なタイムレコーダを提供するために解決すべき技術的課題が生じてくるのであり、本発明は上記課題を解決することを目的とする。
【課題を解決するための手段】
【０００７】
この発明は、上記目的を達成するために提案するものであり、挿入されたタイムカードに現在時刻を印字するとともに、そのタイムカードのIDコードを読取り、打刻データをIDコードに関連付けてタイムカードごとの打刻データを保存する集計機能を備えたタイムレコーダにおいて、PHSモジュール或いはデジタル携帯電話モジュール或いは無線LANモジュールなどの無線通信手段と、無線通信制御プログラムとを備え、電話回線またはインターネットを介してサーバと無線データ通信を行うように構成したことを特徴とするタイムレコーダを提供するものである。
【０００８】
また、サーバの集計データ送信要求に応じてタイムレコーダ内の集計データを送信する通信制御手段を備えた上記タイムレコーダを提供するものである。
【０００９】
また、設定された時刻にタイムレコーダ内の集計データをサーバへ送信する通信制御手段を備えた上記タイムレコーダを提供するものである。
【００１０】
また、サーバ側からタイムレコーダへ各種設定データを書込める書込み制御手段を設けた上記タイムレコーダを提供するものである。
【発明の効果】
【００１１】
この発明のタイムレコーダは、PHSモジュールなどの無線通信手段を備えてサーバと無線データ通信を行えるようにしたので、サーバへタイムレコーダの集計データを転送したり、サーバからタイムレコーダの設定などを更新したりすることができ、タイムレコーダの集計データを収集する際や、タイムレコーダの設定更新の際に、タイムレコーダの設置場所を巡回する必要が無くなり、出退勤管理業務を省力化できる。また、タイムレコーダの通信手段を無線化したことにより、タイムレコーダ設置場所への配線工事が不要であり、設置場所が限定されることも無い。
【発明を実施するための最良の形態】
【００１２】
集計機能を備えたタイムレコーダに、PHSモジュールなどの無線通信手段及び通信制御プログラムを付加し、無線通信手段を介してタイムレコーダがサーバと無線通信し、サーバは所定または任意のタイミングでタイムレコーダから出退勤データを取込めるように構成することにより、特別な配線工事を必要としないタイムレコーダネットワークシステムの実現を可能にするという目的を達成した。
【実施例１】
【００１３】
図1はタイムレコーダ1の構成の一例を示し、2はCPU、3はタイムレコーダ制御プログラムを格納したROM、4はタイムカード毎の出勤・退勤時刻データなどを格納するRAMである。CPU 2は、時計IC 5から時刻情報を読み込み、表示部駆動回路9を駆動してLED表示部10に現在時刻や曜日、日付などを表示する。CPU 2には、マイクロスイッチ或いはフォトインタラプタなどのカード挿入検知センサ6、タイムカードの送り量を検出するロータリエンコーダなどのカード位置検出センサ7と、フォトインタラプタまたは反射形フォトセンサによるカードID読取りセンサ8が接続されている。
【００１４】
タイムレコーダ1のカード挿入スロットにタイムカードが挿入されると、カード挿入検知センサ6がオンし、このオン信号によってCPU 2はモータ駆動回路11を制御してカード送りモータ12を駆動し、タイムカードを所定の位置まで引込む。タイムカードの右端または左端近傍には複数のパンチ穴またはバーコードが縦一列に配列されていて、この複数のパンチ穴またはバーコードによる複数ビットの信号によって一枚毎に異なるカードIDコードを表している。カードID読取りセンサ8はカード位置検出センサ7と連携動作し、パンチ穴付タイムカードの引込み時に、タイムカードのパンチ穴の通過光或いはバーコード部分の反射光によって検出されるビット情報からカードIDコードを取得する。
【００１５】
タイムカードを所定の位置まで引込み、カードIDコードを読取った後に、CPU 2はカード送りモータ12を逆転駆動してタイムレコーダを上昇させ、カード位置検出センサ7の出力信号を監視してタイムカードの当日の日付の欄が印字ヘッド14の高さ位置に達したときにカード送りモータ12を停止し、印字駆動回路13を介して印字ヘッド14を駆動して現在時刻を当日の出勤欄または退出欄へ印字する。これと同時にその時刻データをカードIDコードへ関連付けてRAM 4に書込む。
【００１６】
以上の構成は従来の時間集計形タイムレコーダと同様であるが、本発明のタイムレコーダは、上記構成に加えて無線通信手段を備えていることを特徴としている。図1の実施例では、無線通信手段としてPHSモジュール15を搭載しており、ROM 3 に書込まれている通信制御プログラム、及びRAM 4に書込まれている通信設定に基づいて、図2に示すように、基地局21及び電話回線22を通じて本部16のサーバ17とデータ通信を行えるように構成している。PHSモジュール15は、市販のPCカード形あるいはコンパクトフラッシュ（登録商標）形のもので、タイムレコーダに設けたメモリスロットへ装着される。
【００１７】
通信設定については、タイムレコーダ1側にデータ送信時刻を設定しておき、所定の時刻にサーバ17へ電話を自動発信して出勤退勤データをサーバ17へ送信するように通信制御プログラムを構成し、サーバ側では送信された出勤退勤データを自動的に取り込むように構成すれば、出退勤データの自動収集が可能となり、例えば全国各地の支店などのタイムレコーダ1に蓄積された出退勤データをサーバ17へ逐次転送することができる。
【００１８】
また、サーバ17側からタイムレコーダ1側へデータを送信することができることも当然であり、毎月行われるタイムレコーダ1内の社員番号とカードID番号の関連付けデータの更新をサーバ17側から行うことができる。また、いつでもサーバ17側からタイムレコーダ1を呼出し、データ送信要求を出して出退勤データを取得することもできる。尚、サーバ17とタイムレコーダ1で相互に自動パスワード認証やID認証を行うようにして、データ通信における秘匿性を確保することが望ましい。また、送信データを暗号化したり圧縮したりしてもよい。
【００１９】
サーバ17へタイムレコーダ1のデータを転送するタイミングは、一集計期間（一ヶ月や一週間など）の終了後に一回でもよいが、一日に一回または数回でもよく、転送回数を増やすほど、タイムレコーダ1のRAM 3の保存内容に何等かの障害が生じた場合に、その時点までの出退勤データが消失する虞が低減する。また、タイムレコーダ1内の出退勤データをサーバ17へコピーするのではなく、移動するように構成すれば、タイムレコーダ1のRAM 3のメモリ容量に余裕が生じることになり、一台のタイムレコーダでより多人数の出退勤データを取扱えることになる。
【００２０】
また、タイムレコーダ1側でデータ送信タイミングを制御するのではなく、サーバ17が所定の時刻に所轄の複数のタイムレコーダ1を順番に呼び出して、データ送信を要求するようにすれば、タイムレコーダ1側の通信処理の負担が軽減されるとともに、タイムレコーダ1の内部時計の誤差により通信時刻がくるったり、複数のタイムレコーダ1が同時にサーバ17へアクセスしたりする不都合が生じない。
【実施例２】
【００２１】
実施例１においては無線通信手段としてPHSを使用しているが、これに限定されるものではなく、デジタル携帯電話回線、或いは通信プロトコルとしてTCP/IPを用いるLAN規格の無線通信機器を用いる構成であってもよい。図3において31はインターネットであり、インターネット31へ接続された光ファイバーモデム、或いは電話回線を介してインターネット31へ接続されたADSLモデムなどのブロードバンドモデム32にIEEE802.11bなどのLAN規格の無線アクセスポイント33を接続し、タイムレコーダ1に無線LANカード34を搭載してサーバ17とタイムレコーダ1とで無線通信するように構成している。
【００２２】
また、図示は省略するが、ブロードバンドモデム32とタイムレコーダ1にそれぞれBluetoothモジュ−ルを搭載してBluetoothによる無線通信をするようにしてもよく、この場合は通信設定が簡単であることからシステム導入の手間が簡略化する。
【００２３】
尚、この発明は上記の実施形態に限定するものではなく、この発明の技術的範囲内において種々の改変が可能であり、この発明がそれらの改変されたものに及ぶことは当然である。
【図面の簡単な説明】
【００２４】
【図１】本発明の実施の一形態を示すタイムレコーダのブロック図である。
【図２】タイムレコーダ無線通信システムの解説図。
【図３】他の実施形態を示し、タイムレコーダ無線通信システムの解説図である。
【符号の説明】
【００２５】
1      タイムレコーダ
15     PHSモジュール
16     本部
17     サーバ
21     基地局
22     電話回線
31     インターネット
32     ブロードバンドモデム
33     無線アクセスポイント
34     無線LANカード
【図１】
2005310000.tif 000003
【図２】
2005310000.tif 000004
【図３】
2005310000.tif 000005